(57)【特許請求の範囲】
【請求項１】
機枠、前記機枠から延出して先端部から針が垂下するアーム、前記機枠から突出し且つ内部に前記針と協同して筒状ワークを縫製する縫製機構を収容するベッド、前記ベッドの下側に位置し且つ前記ベッドと平行をなすように前記機枠から回転可能に突出したスプライン軸、前記スプライン軸に対して軸方向移動可能且つ一体回転可能に装架された移動体、内部空間に前記ベッドおよび前記スプライン軸が挿通する第１保持体、前記第１保持体と前記移動体とを連結する連結体、前記筒状ワークを保持し且つ前記第１保持体に着脱自在に装架される第２保持体、前記スプライン軸を回転させる第１駆動機構ならびに前記第１保持体を軸方向移動させる第２駆動機構を備えたことを特徴とする刺繍機。
【発明の詳細な説明】
【０００１】
【発明の属する利用分野】
本発明は、刺繍機に関し、特に帽子その他の筒状ワークに刺繍をほどこす刺繍機に関するものである。
【０００２】
【従来の技術】
従来の刺繍機、例えば特開昭６０−１６２８５３号や実公平７−４０３７７号公報に開示された刺繍機においては、帽子その他の筒状ワークはベッド上に装架された保持体に保持されており、筒状ワークに刺繍を施す際には、保持体がベッドに対して回転・軸方向移動するようになっている。
【０００３】
【発明が解決しようとする課題】
ところが、ベッド自体を回転させ且つ軸方向移動させるようにするためには、ベッド周辺の機構が複雑になり、刺繍機自体の大型化を招来していた。
【０００４】
それ故に、本発明は、かかる不具合を除去した刺繍機を提供することを、技術的課題とするものである。
【０００５】
【課題を解決するための手段】
上記技術的課題を解決するために請求項１記載の発明において講じた技術的手段は、機枠、前記機枠から延出して先端部から針が垂下するアーム、前記機枠から突出し且つ内部に前記針と協同して筒状ワークを縫製する縫製機構を収容するベッド、前記ベッドの下側に位置し且つ前記ベッドと平行をなすように前記機枠から回転可能に突出したスプライン軸、前記スプライン軸に対して軸方向移動可能且つ一体回転可能に装架された移動体、内部空間に前記ベッドおよび前記スプライン軸が挿通する第１保持体、前記第１保持体と前記移動体とを連結する連結体、前記筒状ワークを保持し且つ前記第１保持体に着脱自在に装架される第２保持体、前記スプライン軸を回転させる第１駆動機構ならびに前記第１保持体を軸方向移動させる第２駆動機構を備えたことを特徴とする刺繍機を構成したことである。
【０００６】
【作用】
上記した構成においては、刺繍が施される筒状ワークは、ベッドとは別個の部材である第１・第２保持体に保持されて、回転・軸方向移動がなされる。
【０００７】
【発明の実施の形態】
以下、本発明に係る刺繍機の一実施形態を添付図面にもとづいて説明する。
【０００８】
図１ないし図４において、刺繍機１０は機枠１１を備える。機枠１１からはアーム１２が延出してており、その先端部からは針１３が垂下している。そして、この針１３は、機枠１１から突出したベッド１４の先端部の内部に装架された縫製機構１５と協同して、筒状ワークたる帽子１６に刺繍を施すようになっている。なお、縫製機構１５は、図示されないカマ、ルーパその他の部材から構成されるが、その周知性の故に、詳細な説明は省略する。
【０００９】
機枠１１の側面１１ａからはスプライン軸１７が、ベッド１４の下側に位置すべく且つベッド１４と平行をなすように、突出している。スプライン軸１７の基端部側は、機枠１１の内部において、側面１１ａに固定されたベアリング１８に回転可能に支持されるとともにプーリ１９が装架されている。しかしてプーリ１９とモータ２０のシャフト２０ａに固定されたプーリ２１との間にはタイミングベルト２９が張架されており、モータ２０が回転すると、その回転がプーリ２１・タイミングベルト２９・プーリ１９を介してスプライン軸１７に伝えられ、スプライン軸１７を回転せしめる。
【００１０】
スプライン軸１７上には、移動体２２が装架されている。移動体２２は、スプライン軸１７上を軸方向移動可能となっており、また、スプライン軸１７と一体回転するようになっている。スプライン軸１７、移動体２２およびベッド１４を包摂するように配置された環状の第１保持体２３の内周部は、連結体２４を介して移動体２２と連結されている。そして、第１保持体２３はスプライン軸１７と同芯をなし且つスプライン軸１７と一体回転するようになっている。尚、連結体２４とアーム１４との干渉ないし衝突を防ぐため、モータ２０を制御することにより、刺繍できない範囲Ｒができる（図３）。
【００１１】
第１保持体２３の外周には環状フランジ２３ａが形成されている。環状フランジ２３ａは、機枠１１の内部から機枠１１に形成された矩形の穴１１ａを介して延出するブラケット２５の先端部の内周溝２５ａ内に遊挿されている。そして、これにより、第１保持体２３の回転時には、第１保持体２３とブラケット２５との干渉が避けられることになる。
【００１２】
しかして、ブラケット２５の基端部は、プーリ３６とモータ２７により回転されるプーリ２８との間に張架されたタイミングベルト３０に連結されており、モータ２７の回転時にブラケット２５が移動したとき、第１保持体２３は、その環状フランジ２３ａがブラケット２５の先端部の内周溝２５ａと係合することにより、軸方向に移動することになる。
【００１３】
帽子１６は第２保持体２６に装架されている。第２保持体２６から半径外方向に所定長さだけ延在したのち内方に折り返されてホルダ部２７が、帽子１６の鍔１６ａを保持している。第２保持体２６の周囲には、等間隔で穴２６ａが形成されており、この穴２６ａを、第１保持体２３の外周に形成された突起２３ｂと係合させることにより、第２保持体２６を第１保持体２３上に装架される。
【００１４】
かような状態つまり図２に示される状態が作出され、スプライン軸１７、移動体２２、連結体２４、第１保持体２３および第２保持体２６の一体回転と同期した針１３および縫製機構１５により、帽子１６に刺繍が施される。刺繍に先立ち、刺繍が施される部位が針１３の下に変移するためには、移動体２１をスプライン軸１７を軸方向移動させることによりセットされる。
【００１５】
なお、刺繍が施されない部位Ｑ（図４）は刺繍出来ない範囲Ｒ（図３）内に符号させておけば良い。
【００１６】
【発明の効果】
請求項１の発明によれば、刺繍が施される筒状ワークは、ベッドとは別個の部材である第１・第２保持体に保持されて回転・軸方向移動がなされるので、構造が簡単でスペースをとらないようにすることができ、ベッド上に装架された保持体をベッドに対して回転・軸方向移動させることにより惹起される諸々の不具合を回避することができる。
【図面の簡単な説明】
【図１】本発明に係る刺繍機の斜視図である。
【図２】本発明に係る刺繍機の主要部の断面図である。
【図３】保持体の正面図である。
【図４】保持体に筒状ワークたる帽子が装架された状態を示す図である。
【符号の説明】
１１  機枠
１２  アーム
１３  針
１４  ベッド
１５  縫製機構
１６  帽子（筒状ワーク）
１７  スプライン軸
２０  モータ（第１駆動機構）
２２  移動体
２３  第１保持体
２４  連結体
２５  ブラケット（第２駆動機構）
２６  第２保持体
２７  モータ（第２駆動機構）
【図１】
0003743097.tif 000002
【図２】
0003743097.tif 000003
【図３】
0003743097.tif 000004
【図４】
0003743097.tif 000005